(57)【要約】【課題】試運転制御機能の仕様に関わらず、床暖房装置の運転合否判定を行うための床面温度を検出する。【解決手段】床暖房試運転ユニット２６は、床暖房装置１０に床暖房専用のリモコンが存在せず、給湯器リモコン２２等で一括管理する場合であっても、施工業者２４が所持する床暖房試運転ユニット２６により、容易に試運転処理を行うことができる。また、床暖房試運転ユニット２６は、汎用性があるため、例えば、集合住宅において、複数の居住スペースを施工した場合、単一の床暖房試運転ユニット２６によって、複数の試運転処理を行うことができる。複数の試運転処理は、複数の試運転プログラムを同時に実行可能であれば、時間を重複して効率的に処理することができる。【選択図】図３
2019143898.tif 000002
【特許請求の範囲】
【請求項１】
熱源機の施工及び放熱マットの敷設後に実行される運転状態を確認するための試運転を制御する試運転制御ユニットであって、
前記放熱マットが敷設された床面温度を検出する検出素子と、
前記熱源機の運転開始から計時した所定時間内に前記床面温度が予め定めたしきい値以上となった否かを判定する判定機能、及び前記判定機能の判定結果を報知する報知機能を備えた制御デバイスと、
前記熱源機の運転開始に同期して前記制御デバイスの各機能の実行を指示する操作部と、
を有する試運転制御ユニット。
【請求項２】
前記検出素子を、前記試運転の制御終了後に、室温センサとして再利用する請求項１記載の試運転制御ユニット。
【請求項３】
前記検出素子、前記制御デバイス、及び前記操作部がユニット化されている請求項１又は請求項２記載の試運転制御ユニット。
【請求項４】
前記検出素子で検出した床面温度情報を、前記制御デバイスへ無線で通信する無線通信手段をさらに有し、
前記制御デバイス及び前記操作部が前記熱源機に設けられている請求項１又は請求項２記載の試運転制御ユニット。
【請求項５】
前記制御デバイスの各機能及び前記操作部としての機能が搭載された合否判定用通信端末と、
前記検出素子が設けられた温度検出用通信端末と、をさらに有し、
前記検出素子で検出した床面温度情報を、前記温度検出用通信端末から、通信回線網を介して前記合否判定用通信端末へ送信する請求項１又は請求項２記載の試運転制御ユニット。
【請求項６】
複数の前記温度検出用通信端末からの床面温度情報を、単一の前記合否判定用通信端末で受信することで、複数の試運転実行領域の試運転制御を一括管理する請求項５記載の試運転制御ユニット。
【請求項７】
熱源機及び放熱マットを備え、熱源機の施工及び放熱マットの敷設後に運転状態を確認するための試運転制御機能を備えた床暖房装置であって、
前記熱源機を共有する給湯機器の運転状態を総合的に管理することを含み、予め定めた施設内でのインターフェイスとして機能するリモコンと、
前記放熱マットが敷設された床面温度を検出する検出素子、前記熱源機の運転開始から計時した所定時間内に前記床面温度が予め定めたしきい値以上となった否かを判定する判定機能、及び前記判定機能の判定結果を報知する報知機能を備えた制御デバイス、及び、前記熱源機の運転開始に同期して前記制御デバイスの各機能の実行を指示する操作部を備え、通信回線網を介して前記リモコンと通信可能な試運転用通信端末とを有し、
試運転制御の終了後に、前記試運転用通信端末を、室温センサとして機能させる床暖房装置。
【発明の詳細な説明】
【技術分野】
【０００１】
本発明は、床暖房装置施工後に運転状態を確認するための試運転を行う試運転制御ユニット及び床暖房装置に関するものである。
【背景技術】
【０００２】
床暖房装置は、例えば、電気配線や温水流路配管に施工ミスがないか等、正常に施工されているかの確認のため、施工終了後に試運転を行うようにしている。
【０００３】
床暖房装置の試運転の基本的な手順は、以下のとおりである。
【０００４】
（手順１）  床暖房マットが敷設された室内の床面の温度を検出する温度センサの信号出力線を、床暖房リモコンに接続する。より具体的には、温度センサの信号出力線の端末に設けられたプラグを、床暖房リモコンの設けられたジャックに挿し込む。
【０００５】
（手順２）  温度センサを床面に置く。
【０００６】
（手順３）  床暖房マットに供給する温水を生成する熱源機に、床暖房リモコンの信号線を接続する。
【０００７】
（手順４）  熱源機に設けられたスイッチ操作で、自動試運転を開始する（自動試運転プログラム起動）。
【０００８】
（手順５）  自動試運転開始後、一定時間（例えば、４９分）以内に、温度センサで検出した床面の温度が試運転開始時よりも３℃上昇したか否かを判定する。
【０００９】
（手順６）  手順５の肯定判定で合格、否定判定でエラーを報知する（例えば、合否の報知は、ランプの点灯状態）
【００１０】
この（手順１）から（手順６）の手順を基礎として、床暖房の試運転技術が提案されている（特許文献１〜特許文献４参照）。
【００１１】
特許文献１には、設置工事などの際に誤配管や誤配線の有無を効率よく判断する温水床暖房装置の試運転について記載されている。
【００１２】
より具体的には、床温サーミスタを床暖房リモコンの接続部に接続し、試運転時に床温サーミスタで検出した温度に基づいて、試運転の合否を判定するようになっている。
【００１３】
特許文献２には、無線通信床暖房リモコンにおいて、熱源機内にある試運転スイッチを押し、放熱パネルの表面に置かれたリモコンの床温感熱部で床温を測り、一定時間内に温度情報を検知すれば正常と判定することが記載されている。なお、特許文献２の主たる目的は複数の床暖房パネルと床暖房リモコンとの照合にある。
【００１４】
特許文献３には、着脱可能な床暖房制御用のワイヤレスリモコンを備え、当該ワイヤレスリモコンには、試運転機能が備わっていることが記載されている。
【００１５】
特許文献４には、床暖房システムにおいて、試運転時間の短縮のために、床の上に温度センサを置いて、床の表面の温度を直接検出し、この値を試運転判定制御部で試運転の成功、不成功を判定し、この結果を通信線、信号線を経由して熱源機で試運転中の作業者に報知することが記載されている。
【先行技術文献】
【特許文献】
【００１６】
【特許文献１】特開平９−１３３３７１号公報
【特許文献２】特開２００３−１２０９４６号公報
【特許文献３】特開平１１−１０１４５８号公報
【特許文献４】特開平８−２７０９６２号公報
【発明の概要】
【発明が解決しようとする課題】
【００１７】
上記手順に基づく試運転では、床暖房リモコンが設けられていることが前提で実行されることになるが、近年では、家屋全体の給湯を一括管理する給湯器リモコンから床暖房の動作を制御する、或いは、携帯端末機器に登録したアプリケーションプログラムによって床暖房を動作制御する等、床暖房リモコンの需要が少なくなっている。
【００１８】
床暖房リモコンが不要になると、温度センサの接続（例えば、温度センサから繋がる信号線の先端のプラグを床暖房リモコンのジャックに接続）することができなくなり、自動試運転が困難となる。
【００１９】
例えば、特許文献４では、床暖房リモコンを介さずに試運転結果を熱源機で試運転中の作業者に報知するようにしているが、熱源機と、温度検出及び合否判定機能を備えたユニットとを接続する配線系統が別途必要となる。
【００２０】
すなわち、特許文献４では、温度センサが接続された試運転判定制御部と、熱源機から配線された信号線と、を接続するためのコネクター１０（特許文献４に記載の符号）を床暖房が敷設された部屋（の壁面）に設ける必要がある。従って、仮に、床暖房リモコンが不要となっても、試運転専用の配線が必須となり、施工作業が繁雑となる。
【００２１】
また、試運転専用のデバイスは、試運転制御の実行終了後は無駄な資源となる場合がある。
【００２２】
本発明は上記事実を考慮し、試運転制御機能の仕様に関わらず、床暖房装置の運転合否判定を行うための床面温度を検出することができる試運転制御ユニット及び床暖房装置を得ることが目的である。
【課題を解決するための手段】
【００２３】
本発明に係る試運転制御ユニットは、熱源機の施工及び放熱マットの敷設後に実行される運転状態を確認するための試運転を制御する試運転制御ユニットであって、前記放熱マットが敷設された床面温度を検出する検出素子と、前記熱源機の運転開始から計時した所定時間内に前記床面温度が予め定めたしきい値以上となった否かを判定する判定機能、及び前記判定機能の判定結果を報知する報知機能を備えた制御デバイスと、前記熱源機の運転開始に同期して前記制御デバイスの各機能の実行を指示する操作部と、を有している。
【００２４】
本発明において、前記検出素子を、前記試運転の制御終了後に、室温センサとして再利用することを特徴としている。
【００２５】
本発明において、前記検出素子、前記制御デバイス、及び前記操作部がユニット化されていることを特徴としている。
【００２６】
本発明において、前記検出素子で検出した床面温度情報を、前記制御デバイスへ無線で通信する無線通信手段をさらに有し、前記制御デバイス及び前記操作部が前記熱源機に設けられていることを特徴としている。
【００２７】
本発明において、前記制御デバイスの各機能及び前記操作部としての機能が搭載された合否判定用通信端末と、前記検出素子が設けられた温度検出用通信端末と、をさらに有し、前記検出素子で検出した床面温度情報を、前記温度検出用通信端末から、通信回線網を介して前記合否判定用通信端末へ送信することを特徴としている。
【００２８】
本発明において、複数の前記温度検出用通信端末からの床面温度情報を、単一の前記合否判定用通信端末で受信することで、複数の試運転実行領域の試運転制御を一括管理することを特徴としている。
【００２９】
本発明に係る床暖房装置は、熱源機及び放熱マットを備え、熱源機の施工及び放熱マットの敷設後に運転状態を確認するための試運転制御機能を備えた床暖房装置であって、前記熱源機を共有する給湯機器の運転状態を総合的に管理することを含み、予め定めた施設内でのインターフェイスとして機能するリモコンと、前記放熱マットが敷設された床面温度を検出する検出素子、前記熱源機の運転開始から計時した所定時間内に前記床面温度が予め定めたしきい値以上となった否かを判定する判定機能、及び前記判定機能の判定結果を報知する報知機能を備えた制御デバイス、及び、前記熱源機の運転開始に同期して前記制御デバイスの各機能の実行を指示する操作部を備え、通信回線網を介して前記リモコンと通信可能な試運転用通信端末とを有し、試運転制御の終了後に、前記試運転用通信端末を、室温センサとして機能させることを特徴としている。
【００３０】
本発明によれば、検出素子は、放熱マットが敷設された床面温度を検出する。
【００３１】
操作部では、試運転の際に、熱源機の運転開始に同期して制御デバイスの各機能の実行を指示する。
【００３２】
制御デバイスの判定機能では、少なくとも、熱源機の運転開始から計時した所定時間内に床面温度が予め定めたしきい値以上となった否かを判定する。
【００３３】
制御デバイスの報知機能では、判定機能の判定結果を報知する。
【００３４】
本発明は、試運転専用の配線が不要となることに加え、試運転の実行後に、当該試運転以外の用途を準備しておくことで、資源の無駄を省くことができる
【００３５】
試運転制御以外の用途としては、壁掛けによるリモコンとしての機能、本来の通信端末としての機能、室温センサとしての機能、施工業者が他現場で利用可能な使い回し可能な機能等がある。
【発明の効果】
【００３６】
以上説明した如く本発明では、試運転制御機能の仕様に関わらず、床暖房装置の運転合否判定を行うための床面温度を検出することができるという効果を奏する。
【図面の簡単な説明】
【００３７】
【図１】第１の実施の形態に係る床暖房装置が施工された居住スペースを示す斜視図である。
【図２】第１の実施の形態に係る床暖房試運転ユニットであり、（Ａ）は斜視図、（Ｂ）は制御ブロック図である。
【図３】第１の実施の形態に係る試運転時の操作状態を示し、（Ａ）は熱源機の正面図、（Ｂ）は床暖房試運転ユニットの斜視図である。
【図４】第１の実施の形態に係る試運転制御の手順を示すフローチャートである。
【図５】第１の実施の形態に係る試運転制御時の温度上昇率の推移例（ＯＫ例及びＮＧ例）を示す特性図である。
【図６】第２の実施の形態に係る試運転時の操作状態を示し、（Ａ）は熱源機の正面図、（Ｂ）は床暖房試運転ユニットの側面図である。
【図７】第３の実施の形態に係る試運転のために設定されたネットワーク構成図である。
【図８】第４の実施の形態に係る試運転時の操作状態を示し、（Ａ）は熱源機の正面図、（Ｂ）は試運転のために設定されたネットワーク構成図である。
【発明を実施するための形態】
【００３８】
(第１の実施の形態)
【００３９】
図１は、第１の実施の形態に係る床暖房装置１０が施工された居住スペースの概略図である。
【００４０】
居住スペースの床部１２は、表層部１２Ａと下地部１２Ｂで構成されている。この表層部１２Ａと下地部１２Ｂとの間には、複数の床暖房マット１４が、相互に連結された状態で敷設されている。なお、図１では、６枚（２列×３行）の床暖房マット１４が敷設された例を示しているが、連結枚数は限定されるものではない。
【００４１】
例えば、床暖房マット１４は、連結される枚数毎にユニット化されて温度制御等が実行される。言い換えれば、同一の居住スペースに、複数ユニットが存在する場合は、別々に温度制御等が実行される。
【００４２】
床部１２の周端は、窓１６や図示しない扉が取付けられた壁部１８が設けられている。
【００４３】
前述したように、第１の実施の形態では、６枚の床暖房マット１４が連結され、１ユニットとして稼働するようになっている。すなわち、床暖房マット１４には、図示しない温水流路としての配管が設けられており、当該１ユニットの床暖房マット１４の１つ（図１では、床暖房マット１４Ａとする）が基点となり、温水がその他のユニット内の床暖房マット１４の配管を循環するようになっている。
【００４４】
基点となる床暖房マット１４Ａには、温水の流入側配管口と流出側配管口（共に、図示省略）が設けられ、室外に設置された熱源機２０からの配管２０Ａ、２０Ｂと接続されている。
【００４５】
この配管２０Ａは、熱源機２０で加温された温水を床暖房マット１４の配管へ流入側配管口を介して供給し、配管２０Ｂは、床暖房マット１４の配管から、流出側配管口を介して循環後の温水を回収する。
【００４６】
床暖房マット１４は、配管に温水が循環されることで、周囲(主として、床部１２の表層部１２Ａ)を介して、居住スペースの雰囲気を暖める暖房機器として機能する。
【００４７】
第１の実施の形態に適用される熱源機２０は、床暖房マット１４へ供給する温水だけでなく、給湯（蛇口から出す温水）、風呂（湯船に供給する温水）、空調（熱交換のための温水）、及び乾燥機（熱交換のための温水）等の他の温水利用機器へも温水を供給するようになっている。
【００４８】
このため、この熱源機２０には、接続される温水利用機器を一括して動作を管理する給湯器リモコン２２が接続されている。給湯器リモコン２２は、例えば、居住スペースとは異なる部屋（例えば、キッチン等）に設置される。
【００４９】
言い換えれば、床暖房マット１４が敷設された居住スペースには、床暖房マット１４に循環させる温水の温度や流量等を制御するためのリモコンは存在せず、別室（キッチン）に設置された給湯器リモコン２２を操作することで、床暖房マット１４の配管内を循環する温水の温度や流量等を制御することになる。
【００５０】
（床暖房マット１４の敷設後の試運転）
【００５１】
図１に示される如く、施工業者２４は、床暖房装置１０の施工、すなわち、床暖房マット１４の敷設工事、配管工事、及び電気配線工事等といった全ての施工が終了すると、試運転を行い、正常に施工されているかを確認する。
【００５２】
試運転では、基本的には、床部１２の表層部１２Ａの温度を計測し、当該温度の上昇状態を監視する。
【００５３】
ここで、比較例として、床暖房マット１４を敷設した居住スペースに、床暖房専用リモコンを設置し、当該床暖房専用リモコンを用いた床暖房装置の試運転の基本的な手順は以下の通りである。
【００５４】
まず、居住スペースの床部１２の温度を検出する温度センサの信号出力線を、床暖房専用リモコンに接続し、温度センサを床面に置いて、熱源機２０に設けられたスイッチ操作で、自動試運転を開始することで、熱源機２０に搭載した制御部の自動試運転プログラムを起動させ、合否判定を行う。例えば、少なくとも異常時にエラーを報知する。
【００５５】
この場合、熱源機２０の制御部に自動試運転プログラムを登録しておく必要があると共に、当該自動試運転プログラムは、施工が合格となれば、所謂１回使い切りのプログラムとなる。
【００５６】
これに対して、第１の実施の形態では、試運転時の温度監視用のデバイスとして、施工業者２４は、床暖房試運転ユニット２６を携帯しており、この床暖房試運転ユニット２６を用いて、施工の合否を判定するようにした。
【００５７】
図２に示される如く、床暖房試運転ユニット２６は、筐体２８で覆われている（図２（Ａ）参照）。
【００５８】
筐体２８には、試運転プログラムが登録されたＩＣチップ（ＡＳＩＣ）３０が収容されている（図２（Ｂ）参照）。前記ＩＣチップ３０には、表示部３２、電源スイッチ３４、スタートスイッチ３６、及び温度センサ４０が接続されている。
【００５９】
また、図２（Ａ）に示される如く、筐体２８の上面には、開口部２８Ａ、２８Ｂ、２８Ｃが設けられおり、開口部２８Ａから表示部３２が露出され、開口部２８Ｂから電源スイッチ３４が露出され、開口部２８Ｃからスタートスイッチ３６が露出されている。
【００６０】
一方、温度センサ４０は、筐体２８の下面が温度検出面４０Ａとなるように設けられている。
【００６１】
ここで、図１に示される如く、施工業者２４は、床暖房装置１０の施工が終了すると、床暖房試運転ユニット２６を、筐体２８の下面が床部１２の表層部１２Ａに接するように置くことで、試運転の準備を行う。温度センサ４０は、温度検出面４０Ａが床部１２の表層部１２Ａと対峙され、当該表層部１２Ａの温度が検出されることになる。表層部１２Ａの温度は、床暖房マット１４の配管を循環する温水に影響される。従って、表層部１２Ａは、試運転による温度検出部位として最適である。なお、表層部１２Ａに直接触れることは必須ではなく、表層部１２Ａと温度センサ４０の温度検出面４０Ａとの間に一定の空間を設けてもよい。また、表層部１２Ａのさらに上層に、絨毯等の調度品が存在してもよい。
【００６２】
床暖房装置１０の試運転の際、施工業者２４は、床暖房試運転ユニット２６の電源スイッチ３４を操作して電源オン状態とした上で、床暖房装置１０の施工された居住スペースとは別の部屋（第１の実施の形態では、キッチン）に取り付けられた給湯器リモコン２２からの操作で、床暖房装置１０を、例えば、送水温度が最大となるような出力で動作開始を指示する（図３（Ａ）参照）。なお、熱源機２０から動作を指示するようにしてもよい。
【００６３】
その後、施工業者２４が、床暖房試運転ユニット２６のスタートスイッチ３６を操作すると（図３（Ｂ）参照）、ＩＣチップ３０に予め組み込まれた試運転プログラムが起動して、温度センサ４０による温度検出から、経時的な温度変化の演算、並びに、温度変化による施工合否の判定までの一連の試運転制御処理が実行される。
【００６４】
表示部３２には、施工の合否判定が表示され、施工業者２４は、この表示部３２の表示を目視することで、施工の合否を認識することができる。なお、表示部３２は必須ではなく、例えば、表示部３２の代替として、ＬＥＤランプやスマートホンアプリで、施工の合否を含む状況を確認するようにしてもよい。また、試運転ユニット２６と熱源機２０もしくは端末（給湯器リモコン２２等）に通信機能が搭載されている場合、試運転結果を熱源機２０もしくは端末に送信することもできる。その際、有線か無線かは問わない。
【００６５】
すなわち、第１の実施の形態では、熱源機２０（又は給湯器リモコン２２）に試運転プログラムを登録する必要はなく、施工業者２４が、床暖房試運転ユニット２６を持ち歩くことで、１つの床暖房試運転ユニット２６により、他の複数の施工現場での試運転による施工合否判定ができる。
【００６６】
なお、電源スイッチ３４とスタートスイッチ３６とを兼用した単一のスイッチとしてもよい。すなわち、単一のスイッチを操作することで、電源オンと同時又は一定時間後に試運転プログラムが起動するようにしてもよい。また、電源スイッチ３４が無く、常時電源オンでもよい。すなわち、スタートスイッチ３６が操作されるまでは、当該スタートスイッチ３６の操作があったか否かのみを検出すればよく、消費電力が極めて少なく、常時電源オンでも問題無い。
【００６７】
以下に第１の実施の形態の作用を、図４のフローチャートに従い説明する。
【００６８】
図４に示すフローチャートは、床暖房試運転ユニット２６が、施工業者２４によって、床部１２の表層部１２Ａに置かれ、電源スイッチ３４がオンされることで起動し、給湯器リモコン２２の操作によって、床暖房運転が開始されているものとする。
【００６９】
ステップ１００では、スタートスイッチ３６がオンされたか否かを判断し、肯定判定されるまで待機する。
【００７０】
ステップ１００で肯定判定されると、ステップ１０２へ移行して、タイマ、検出温度、及び表示をリセットし、ステップ１０４へ移行する。
【００７１】
ステップ１０４では、温度センサ４０により、初期床温度Ｔｓを検出し、次いで、ステップ１０６へ移行して、検出した初期床温度Ｔｓを一時記憶して、ステップ１０８へ移行する。
【００７２】
ステップ１０８では、タイマをスタートさせ、次いで、ステップ１１０へ移行して、現在床温度Ｔｒを検出する。タイマは一定時間（図５参照）を計測するものであり、特に、一定時間は限定されるものではないが、常用的に、例えば、４９分とする場合が多い）。
【００７３】
次のステップ１１２では、検出した現在床温度Ｔｒと、一時記憶した初期床温度Ｔｓとの差分ΔＴ（＝Ｔｒ−Ｔｓ）を演算する。なお、第１の実施の形態では、床暖房の試運転であり、温水を循環させるため、現在床温度Ｔｒが時間経過によって徐々に上昇することを前提としているため(図５参照)、ΔＴは必然的にプラス（＋）の値となるが、数式上、差分の絶対値（ΔＴ＝｜Ｔｒ−Ｔｓ｜）としてもよい。また、差分の演算初期は、ΔＴ≒０である（図５のスタートスイッチ３６の操作時参照）。
【００７４】
次のステップ１１４では、差分ΔＴが３℃以上（ΔＴ≧３℃）となったか否かを判断する。なお、差分ΔＴのしきい値を３℃としたのは、常用的に適用される温度であり、しきい値は限定されるものではない。
【００７５】
ステップ１１４で肯定判定（ΔＴ≧３℃）された場合は（図５の特性曲線Ａ参照）、正常に温度上昇されていると判断し、ステップ１１６へ移行して、床暖房試運転ユニット２６の表示部３２に、床暖房正常動作を意味する「ＯＫ表示」を実行し、このルーチンは終了する。
【００７６】
また、ステップ１１４で否定判定（ΔＴ＜３℃）された場合は（図５の特性曲線Ｂ参照）、ステップ１１８へ移行して、一定時間（例えば、常用値である４９分）が経過したか否かを判断する。
【００７７】
このステップ１１８で否定判定された場合は、ステップ１１０へ移行して、上記工程を、一定時間内にステップ１１４で肯定判定されるまで繰り返す。
【００７８】
また、ステップ１１８で肯定判定された場合は、一定時間が経過しても、温度上昇率が小さく、温度上昇率が異常であると判断し、ステップ１２０へ移行して、床暖房試運転ユニット２６の表示部３２に、床暖房異常動作を意味する「ＮＧ表示」を実行し、このルーチンは終了する。
【００７９】
図５は、第１の実施の形態に係る床暖房試運転ユニット２６における試運転時の温度上昇率の推移例を示す特性図であり、特性曲線Ａが正常動作、特性曲線Ｂが異常動作を示す。
【００８０】
すなわち、給湯器リモコン２２から試運転開始操作が実行され、過渡期を過ぎた時点までは（過渡期は無くてもよい）、温度センサ４０の検出値が上昇するものとする。
【００８１】
その後、スタートスイッチ３６が操作されると、特性曲線Ａは一定時間までの間で差分ΔＴ（＝Ｔｒ−Ｔｓ）が３℃以上となり、正常動作と判断される。
【００８２】
一方、特性曲線Ｂは、一定時間までの間で差分ΔＴ（＝Ｔｒ−Ｔｓ）が３℃未満となり、異常動作と判断される。
【００８３】
異常動作は、例えば、温水の温度が規定値よりも低い、或いは、流量が少ない、或いは、配管で水漏れが発生している等、様々な原因で発生するが、第１の実施の形態では、この異常を、試運転の状態で認識可能であるため、施工の見直し等を容易に行うことができる。
【００８４】
以上説明した如く、第１の実施の形態の床暖房試運転ユニット２６は、床暖房装置１０に床暖房専用のリモコンが存在せず、給湯器リモコン２２等で一括管理する場合であっても、施工業者２４が所持する床暖房試運転ユニット２６により、容易に試運転処理を行うことができる。
【００８５】
また、第１の実施の形態の床暖房試運転ユニット２６は、汎用性があるため、例えば、集合住宅において、複数の居住スペースを施工した場合、単一の床暖房試運転ユニット２６によって、複数の試運転処理を行うことができる。複数の試運転処理は、複数の試運転プログラムを同時に実行可能であれば、時間を重複して効率的に処理することができる。
【００８６】
（第２の実施の形態）
【００８７】
以下に、本発明の第２の実施の形態について説明する。
【００８８】
なお、第２の実施の形態において、前述した第１の実施の形態と同一構成部分については、同一の符号を付して、その構成の説明を省略する。
【００８９】
第２の実施の形態の特徴は、給湯器リモコン２２で試運転を指示して合否を判定し、かつ合否を表示することである。
【００９０】
図６に示される如く、施工業者２４が、温度センサ５０と、温度センサ５０と近距離通信（例えば、Bluetooth（登録商標））可能な第１送受信デバイス５２を所持しており、温度センサ５０で検出した検出値情報を第１送受信デバイス５２へ送信することが可能となっている。なお、第１送受信デバイス５２の機能が、温度センサ５０に搭載されていて、各温度センサ５０が第２送受信デバイス５４や熱源機２０、その他端末（給湯器リモコン２２等）と送受信するようにしてもよい。
【００９１】
一方、熱源機２０には、有線で前記第１送受信デバイス５２と対をなす第２送受信デバイス５４が接続されている。
【００９２】
第１送受信デバイス５２及び第２送受信デバイス５４は、別途遠距離通信（例えば、免許不要な９２０ＭＨｚ、２．４ＧＨｚ等の無線局）によって、相互に通信可能であり、居住スペースにいる施工業者が所持する第１送受信デバイス５２から、熱源機２０に接続された第２送受信デバイス５４へ、温度センサ５０で検出した温度情報を送信する。
【００９３】
第２送受信デバイスで受信した温度情報は、熱源機２０の制御系を介して、給湯器リモコン２２へ送信可能となっている。
【００９４】
給湯器リモコン２２には、第１の実施の形態で説明した床暖房試運転ユニット２６の機能を備えており、スタートスイッチ機能の操作によって、熱源機２０による試運転用の動作が開始され、かつ、試運転プログラムが起動して、検出温度の差分ΔＴ（＝Ｔｒ−Ｔｓ）に基づく、合否判定が実行される。
【００９５】
（第３の実施の形態）
【００９６】
以下に、本発明の第３の実施の形態について説明する。
【００９７】
なお、第３の実施の形態において、前述した第１の実施の形態と同一構成部分については、同一の符号を付して、その構成の説明を省略する。
【００９８】
第３の実施の形態の特徴は、試運転の合否を判定した後、ネットワークシステムを介して多機能リモコンとして利用することである。
【００９９】
図７に示される如く、施工業者２４は、通信端末６０を所持している。通信端末６０は、少なくとも、第１の実施の形態で説明した第１の実施の形態の床暖房試運転ユニット２６と同等の機能を備えている（図２（Ｂ）参照）。
【０１００】
このため、試運転に際しては、第１の実施の形態と同様に、通信端末を床部１２の表層部１２Ａに置き、電源スイッチ３４を操作し、熱源機２０を試運転動作を開始し、スタートスイッチ３６を操作することで、試運転が実行される（図４のフローチャート参照）。
【０１０１】
また、通信端末６０は、ＷｉＦｉ等の無線ＬＡＮの機能を備えており、インターネット６２に接続可能となっている。
【０１０２】
一方、熱源機２０及び給湯器リモコン２２は、施工したスペース（住居等）内に設けられたネットワークシステム６４によって相互に情報通信可能に接続されている。
【０１０３】
通信端末６０は、無線ＬＡＮ機能により、インターネット６２、ゲートウェイ６６を介して、ネットワークシステム６４に接続可能となっている。
【０１０４】
すなわち、通信端末６０は、試運転機能のみならず、試運転処理が終了した後は、例えば、居住スペースの壁部１８に取り付けることで、熱源機２０及び給湯器リモコン２２と相互に通信可能な多機能リモコンとして利用することができる。
【０１０５】
例えば、居住スペースから、他の居住スペースの空調を制御したり、風呂を沸かす等の指示が可能となる。また、多機能リモコンとしては、熱源機２０及び給湯器リモコン２２と相互に通信可能とする機能に限定されるものではない。例えば、集合住宅であれば、マンションのサーバーと通信し、エレベータを自室のある階まで呼ぶ等、生活に関連した多機能リモコンとして利用してもよい。また、戸建て住宅であれば、ガレージの開閉、車両内の空調の電源制御等の多機能リモコンとして利用してもよい。さらには、通信端末６０は、ＨＥＭＳ（ホームエネルギーマネージメントシステム）に関連する電化製品等とのインターフェイスとして適用してもよい。
【０１０６】
（第４の実施の形態）
【０１０７】
以下に、本発明の第４の実施の形態について説明する。
【０１０８】
なお、第４の実施の形態において、前述した第１の実施の形態と同一構成部分については、同一の符号を付して、その構成の説明を省略する。
【０１０９】
第４の実施の形態の特徴は、施工業者２４が所持するスマートホン７０（図８参照）を利用して、試運転の合否を判定することである。
【０１１０】
図８に示される如く、試運転を実行する居住スペースの床部１２の表層部１２Ａには、温度センサ７２が置かれる。
【０１１１】
温度センサ７２は、ＷｉＦｉ等の無線ＬＡＮの機能を備えている。このため、温度センサ７２、ゲートウェイ７４を介してインターネット７６に接続されている。
【０１１２】
このため、スマートホン７０は、インターネット７６及びゲートウェイ７４を介して、温度センサ７２と相互に通信可能となる。スマートホン７０には、第１の実施の形態のＩＣチップ３０（図２（Ｂ）参照）に記憶された試運転プログラムと同等のアプリケーション（以下、試運転アプリという）が予めインストールされている。なお、温度センサ７２は、ゲートウェイ７４を介さず、直接スマートホン７０につながるようにしてもよい。
【０１１３】
このため、給湯器リモコン２２によって、熱源機２０に対して、試運転のための床暖房運転開始操作がなされた後、施工業者２４は、スマートホン７０の試運転アプリを起動させると、温度センサ７２との通信が実行され、温度検出及び合否判定制御（図４のフローチャートと同等の制御）が実行される。
【０１１４】
第４の実施の形態によれば、施工業者２４が所持するスマートホン７０に試運転アプリを登録すると共に、無線通信機能を備えた温度センサ７２を複数用意することで、例えば集合住宅の複数の床暖房敷設箇所の試運転を同時進行で行い、かつ、確認することができるため、従来の床暖房装置と試運転機能とが１対１で設定されていた場合に比べて、複数の試運転実行領域の試運転制御を一括管理することができるため、効率的に試運転作業を行うことができる。なお、温度センサ７２は、ラジエータ等に貼り付けることができるものでもよく、ラジエータ等の試運転に使用してもよい。
【符号の説明】
【０１１５】
１０    床暖房装置
１２    床部
１２Ａ    表層部
１２Ｂ    下地部
１４    床暖房マット
１４Ａ    床暖房マット
１６    窓
１８    壁部
２０    熱源機
２０Ａ、２０Ｂ    配管
２２    給湯器リモコン
２４    施工業者
２６    床暖房試運転ユニット
２８    筐体
２８Ａ、２８Ｂ、２８Ｃ    開口部
３０    ＩＣチップ(制御デバイス)
３２    表示部
３４    電源スイッチ（操作部）
３６    スタートスイッチ（操作部）
４０    温度センサ(検出素子)
４０Ａ    温度検出面
（第２の実施の形態）
５０    温度センサ
５２    第１送受信デバイス
５４    第２送受信デバイス
（第３の実施の形態）
６０    通信端末
６２    インターネット
６４    ネットワークシステム
６６    ゲートウェイ
（第４の実施の形態）
７０    スマートホン
７２    温度センサ
７４    ゲートウェイ
７６    インターネット
【図１】
2019143898.tif 000003
【図２】
2019143898.tif 000004
【図３】
2019143898.tif 000005
【図４】
2019143898.tif 000006
【図５】
2019143898.tif 000007
【図６】
2019143898.tif 000008
【図７】
2019143898.tif 000009
【図８】
2019143898.tif 000010